(57)【要約】      （修正有）【課題】結婚申し込み前、結婚申し込み中、結婚申し込み後の期間を含めて、カメラを隠しつつ、当事者の視点からビデオを撮影可能にする方法を提供する。【解決手段】婚約指輪箱は、ビデオカメラ及びビデオカメラチップを含み、結婚申し込みといった出来事の音声と映像の両方を記録する。指輪箱は、箱の基部に複数の穿孔５００、６００、７００及び８００が開けられた外面を含む。それらの穿孔は、音声及び映像のコンテンツを記録し、記憶し、転送するための構成要素を備える。構成要素には、カメラレンズ、ＬＥＤ、データ／充電ポート及びマイクロフォンが含まれ、各構成要素は指輪箱の外面にアクセスすることができ、機器のカメラの電源をオン、オフにするためのユーザ入力スイッチまたはボタンを含む。【選択図】図４
2015226328.tif 000002
【特許請求の範囲】
【請求項１】
上面および下面、後縁部および前記後縁部と対向する前縁部を含み、前記下面は第１の外周部を定義する、上部分と、
下面および上面を含む下部分であって、前記上面は第２の外周部を定義し、前記第１の外周部および前記第２の外周部は、相互に隣接し、前記上部分および前記下部分の後縁部のところで相互に連結されている、前記下部分と、
前記上部分の前記前縁部および前記下部分のうちの一方の外面に位置決めされたカメラレンズと、
前記上部分および前記下部分のうちの一方の内部に位置決めされ、ビデオを記録することが可能な、前記カメラレンズに接続されたビデオカメラ構成要素と、
前記上部分および前記下部分のうちの一方の表面に位置決めされ、前記ビデオカメラ構成要素に接続されており、ユーザによる操作時に前記ビデオカメラ構成要素の前記記録を開始し、終了することが可能なユーザ操作スイッチと、
を含む、指輪箱。
【請求項２】
前記ユーザ操作スイッチは、第１の位置と第２の位置との間で可動であり、
ユーザによる前記ユーザ操作スイッチの前記第２の位置への移動が、記録を開始させ、
ユーザが前記ユーザ操作スイッチの操作により記録の長さを制御することができるように、前記ユーザによる前記ユーザ操作スイッチの前記第１の位置への移動が、前記記録を終了させる、請求項１に記載の指輪箱。
【請求項３】
前記ユーザ操作スイッチは、前記指輪箱の外面に位置決めされている、請求項２に記載の指輪箱。
【請求項４】
前記ユーザ操作スイッチは、前記下部分の前記後縁部に位置決めされている、請求項３に記載の指輪箱。
【請求項５】
前記カメラレンズは、前記上部分の前記前縁部に位置決めされている、請求項４に記載の指輪箱。
【請求項６】
前記上部分と前記下部分とは、ヒンジで相互に連結されており、よって、前記上部分および前記下部分は、開位置と閉位置との間を動かすことができる、請求項５に記載の指輪箱。
【請求項７】
前記ユーザ操作スイッチは、前記ビデオカメラ構成要素を、前記指輪箱が開位置および閉位置にあるときに記録を開始するように操作することができる、請求項６に記載の指輪箱。
【請求項８】
前記指輪箱上に位置決めされたＬＥＤであって、前記ビデオカメラ構成要素が記録しているときにそれを表示する前記ＬＥＤを含む、請求項７に記載の指輪箱。
【請求項９】
前記指輪箱の前記下部分は、指輪を受けるための袋を含む、請求項８に記載の指輪箱。
【請求項１０】
箱が、上部分と下部分との各部分が相互に間隔を置いて配置される開位置と、前記上部分が前記下部分に接する閉部分との間で可動であるように、前記下部分にヒンジで結合された前記上部分を有し、前記下部分は指輪を受けることができる袋を含み、前記上部分および前記下部分は、それぞれ、前記ヒンジに対向する前面および前記ヒンジに隣接する背面を含む、前記箱と、
前記上部分の前記前面に位置決めされたビデオカメラレンズと、
前記上部分内に収容され、前記ビデオカメラレンズに接続されたビデオカメラチップと、
前記下部分の前記背面に位置決めされるユーザ操作可能スイッチであって、ユーザが、前記箱が前記開位置にあるかまたは前記閉位置にあるかとは無関係に、記録期間の長さを制御するために前記ユーザ操作可能スイッチを操作することができるように、記録を開始し、記録を終了する目的で前記ビデオカメラチップを制御するために、ユーザによって手動で操作されることが可能な、前記ユーザ操作可能スイッチと、
前記上部分および前記下部分のうちの一方の表面にあるインジケータであって、前記ビデオカメラチップに接続され、前記記録期間中にのみ信号を発生させる前記インジケータと、
前記上部分および前記下部分のうちの一方の表面に位置決めされたＵＳＢポートであって、前記ビデオカメラチップから前記ＵＳＢポートに接続された機器へ情報を転送するための前記ビデオカメラチップに接続された前記ＵＳＢポートと、
を含む、指輪箱。
【発明の詳細な説明】
【背景技術】
【０００１】
結婚申し込みの過程は、カップルの関係における最大の節目のうちの１つである。多くのカップルは、できればこの出来事を思い出すための形のある思い出を手に入れたいと思っているはずであるが、多くは、その思い出を二人だけのものにすることと、その思い出を何らかの方法で記録することとの間で苦労する。中には、友人に、その人のためのプロのカメラマンになって、こうした場面をビデオに録画するよう頼むことによって、この問題を解決しようとする人もある。しかし、これらの方法は、多くの場合、その瞬間のプライバシーおよび親密さを損なう。加えて、離れたところにいるカメラマンは、結婚申し込みの当事者反応を撮影することができない。まだ存在していないのは、婚約者が婚約指輪を贈られるときに、当事者の視点からビデオを撮影する機器である。
【０００２】
結婚申し込みをする人たちは、当事者の視点から、その申し込みをする人について、いつ、何を記録するか制御するためのさらなる選択肢を探り続けている。
【発明の概要】
【発明が解決しようとする課題】
【０００３】
本発明は、上記の問題を、結婚申し込み当事者の、外部に取り付けられたビデオカメラによって解決する。
【課題を解決するための手段】
【０００４】
一実施形態では、本発明は、ビデオカメラおよびビデオカメラチップを含む概ね標準的な婚約指輪箱を含み、ビデオカメラおよびビデオカメラチップは、結婚申し込みの音声と映像の両方を記録することができる。この指輪箱は、箱の基部に複数の穿孔があけられた外面を含み得る。それらの穿孔は、音声および映像のコンテンツを記録し、記憶し、転送するための構成要素を備え得る。一実施形態では、これらの構成要素には、カメラレンズ、ＬＥＤ、データ／充電ポート、およびマイクロフォンが含まれ、各構成要素は指輪箱の外面にアクセスすることができ、また、機器のカメラの電源をオン、オフにするためのユーザ入力スイッチまたはボタンも含まれる。
【０００５】
一実施形態では、機器は、携帯型で、軽量で、結婚申し込みの相手から見えない。よって、本発明は、結婚申し込み前、結婚申し込み中、および結婚申し込み後の期間を含めて、結婚申し込みのより望ましい画像を撮影するためにカメラを隠す有効な方法を提供する。
【０００６】
別の実施形態では、機器からのビデオを、「ｓａｖｅ  ｔｈｅ  ｄａｔｅ  （結婚予告）」通知で、また、結婚披露宴、ブライダルシャワー、結婚記念日、および多くの他の行事で共用されるビデオ編集材料として使用することができる。
【図面の簡単な説明】
【０００７】
【図１】本発明の一実施形態に係る指輪箱の正面図である。
【０００８】
【図２】本発明の一実施形態に係る指輪箱の側面図である。
【０００９】
【図３】第２の実施形態に係る指輪箱の正面図である。
【００１０】
【図４】第２の実施形態に係る指輪箱の側面図である。
【００１１】
【図５】第３の実施形態に係る指輪箱の正面図である。
【００１２】
【図６】第３の実施形態に係る指輪箱の側面図である。
【００１３】
【図７】第４の実施形態に係る指輪箱の正面斜視図である。
【００１４】
【図８】第４の実施形態に係る指輪箱の背面斜視図である。
【００１５】
【図９】第４の実施形態に係る閉位置での指輪箱の正面斜視図である。
【００１６】
【図１０】第４の実施形態に係る閉位置での指輪箱の背面斜視図である。
【発明を実施するための形態】
【００１７】
本発明のこれらの実施形態に係る指輪箱が、各図に示されており、全体として１と指定されている。本発明の主要な特徴は、格納のために、従来の指輪箱といった容器の中に組み込まれる。容器は、上部分と下部分とを有し、それぞれ、前面、背面、上面、および底面を有する。上部分は蓋を形成し、蓋は、上面および第１のリップ部を形成する底面を有し、一方、底部分は、底面および第２のリップ部を形成する上面を有する基部を形成する。底部分は、一般に、指輪を保持する袋を含む。上部分は、例えば、ヒンジまたは他の従来の連結器で、第１のリップ部および第２のリップ部のところで底部分に連結される。このヒンジにより容器は、開閉構成の機能を備えることができる。
【００１８】
箱の上部分または底部分のどちらかにおいて、箱の一部分にカメラレンズ穴が形成され得る。一実施形態では、カメラレンズ穴は、箱の前面（すなわち、ヒンジと反対側の面）に位置する。指輪箱の「面」は、指輪箱の前面でも、上面でも、底面でもない任意の表面を指示し得る。
【００１９】
カメラレンズは、カメラチップ上に取り付けられ、または他のやり方でカメラチップに接続されていてよく、カメラチップは概ね従来通りのものであり、回路基板上に実装されたイメージセンサ、プロセッサ、および任意の他のビデオカメラ構成要素を含む。カメラレンズは、画像の焦点をイメージセンサ上に合わせるように位置決めされる。カメラチップは、記録された場面および音声を、回路基板上に実装された、または回路基板に接続されたメモリモジュールに保存する内蔵ＳＤカードベースのＤＶＲを含み得る。カメラの機能は、ユーザが操作できるスイッチによって制御され、このスイッチは、押しボタンでもフリップスイッチでもよい。
【００２０】
押しボタンを含む実施形態では、設定された持続期間の１回のボタン押しにより、機器の電源がオンにされ、記録が開始され得る。設定された持続期間のもう１回のボタン押しにより、機器の記録が停止され、記録が内蔵ＤＶＲに保存され、機器がシャットダウンされる。ボタンは、ユーザから見えていてよい。あるいは、ボタンは、指輪箱の表地内に隠すこともでき、箱の当該部分を触ることによって位置特定することができる。
【００２１】
フリップスイッチで制御される実施形態では、スイッチは、記録とオフといった２つの位置を有し得る。フリップスイッチを記録の位置に動かすと、機器の電源がオンにされ、記録が開始される。スイッチをオフの位置に戻すと、機器の記録が停止され、記録が内蔵ＤＶＲに保存され、機器がシャットダウンされる。
【００２２】
カメラの動作状態を表示するための１つ以上のＬＥＤが含まれ得る。チップは、例えば、記録中にＬＥＤを動作させるようにプログラムされ得る。一実施形態では、ＬＥＤは、カメラチップの真上に位置し、または、細いゲージのワイヤを介して箱内部の異なる位置まで延長される。任意選択で、回転させるとわずかな振動を生じる小型の偏心回転装置を、さらなるユーザフィードバックのために使用することもできる。振動装置は、カメラチップの真上に配置することもでき、細いゲージのワイヤを介して指輪箱内部の異なる隠れた位置まで延長することもできる。
【００２３】
カメラに給電するためのバッテリパックが含まれ得る。バッテリパックは、細いゲージのワイヤを介してカメラチップから延長され得る。バッテリは、指輪箱の上半分または下半分の隠れた位置に取り付けられ得る。
【００２４】
これらの実施形態では、通常の指輪箱の外観を提供するために、カメラレンズ、（後述する）ＵＳＢポート、ＬＥＤ、および（やはり後述する）ユーザ入力ボタン／スイッチだけが、指輪箱の外側から見えている。他の全ての電子機器は、それらがユーザの視界から見えないように、指輪箱の各部分内に隠され得る。カメラを外からより見え難くするために、指輪箱は、箱の色と似通った薄い一方向反射材料片を含み得る。この材料は、カメラレンズの前に配置され得る。反射材料は、一方向であり、半透明であるため、カメラレンズが画像を記録するのをほとんど妨げない。
【００２５】
カメラレンズ自体は、様々なやり方で箱の内部で取り付けられ得る。一実施形態では、カメラレンズは、指輪箱の前上半分にあるレンズ穴の内部で接着される。
【００２６】
また指輪箱は、ＵＳＢフラッシュドライブと全く同様に、標準的なコンピュータまたは他の種類の機器を用いた、カメラチップ上に記憶されたコンテンツへの直接アクセスを提供するためのＵＳＢポートも含み得る。カメラ・モジュール・バッテリは、ＵＳＢポートから充電される。
【００２７】
全ての構成要素は、接着剤、小ねじ、または各構成要素を収容するように設計されたプラスチック板で箱の内面に固定され得る。内蔵構成要素は、次いで、指輪箱の外面の各部分で覆われる。箱の底部分のあらゆる構成要素は、指輪クッションで覆われ得る。箱の上半分のあらゆる構成要素は、指輪箱クッションと同じ全般的な質感および材料と似通った挿入物で覆われ得る。
【００２８】
本発明による指輪箱の様々な例が図１〜図１０に示されている。これらの例は、それぞれ、上述の構成要素の特定の構成を例示するものである。
【００２９】
本発明による指輪箱の第１の例が図１および図２に示されている。この例では、標準的な指輪箱［１０］に６個の穴があけられている。レンズ用の前下半分における１つの大きな穴［３０］、マイクロフォン用の前下半分における１つの小さい穴［４０］、ボタン用の下半分側面における２つの穴［５０、６０］、マイクロＵＳＢ入力用の反対側の下半分側面における１つの穴［２０］、およびＬＥＤ出力用の背面における１つの穴［８０］である。２つの入力ボタン、ＬＥＤ出力灯、チップバッテリ、およびマイクロフォンの各部品は、カメラチップから細いゲージのワイヤおよび半田を介して各部品それぞれの位置まで延長される。チップ上の露出した半田は、安定性を得るために非導電ＲＴＶで被覆される。カメラチップに給電するバッテリは、婚約指輪箱の内側の布地の後に隠れて見えない箱の上蓋に位置する［９０］。箱の底にはカメラチップが位置し、カメラチップは、蓋内のバッテリに別個に配線接続される［７０］。特別仕様のカメラ・チップ・ホルダは、安定化のためにチップの下に位置する。カメラレンズ自体は、前下半分の大きな穴に接着される［３０］。箱の主構造を覆う外側指輪箱材料は、ＵＳＢポートへのアクセスのために切断される。あるいは、各ボタンは布地内に隠れており、箱の側面を触ることによって各ボタンを位置特定することができる。ＬＥＤは、ユーザに面する黒い小さい穴に配置される。全ての構成要素は、熱接着剤または同等のもので箱の内面に接着される。各内蔵構成要素は、次いで、指輪クッションで覆われ、全てのカメラ構成要素は、バッテリを除いて、下蓋内に隠される。記録のためのビデオフォーマットはＡＶＩファイルであり、ＡＶＩファイルは、主要なオペレーティングシステム全てにおいてあまねく認識され、ほとんどのメディアソフトウェアで再生することができる。
【００３０】
本発明による指輪箱の第２の例が図３および図４に示されている。この実施形態では、標準的な指輪箱［１００］に６個の穴があけられている。レンズ用の前上半分における１つの大きな穴［３００］、マイクロフォン用の前上半分における１つの小さい穴［４００］、ボタン用の一方の下半分側面における２つの穴［５００、６００］、マイクロＵＳＢ入力用の反対側の上半分側面における１つの穴［２００］、およびＬＥＤ出力用の背面における１つの穴［８００］である。
【００３１】
２つの入力ボタン、ＬＥＤ出力灯、チップバッテリ、およびマイクロフォンの各部品は、カメラチップから細いゲージのワイヤおよび半田を介して各部品それぞれの位置まで延長される。チップ上の露出した半田は、安定性を得るために非導電ＲＴＶで被覆される。カメラチップに給電するバッテリは、婚約指輪箱の指輪クッションの下に隠れて見えない箱の下半分に位置する［７００］。箱の上部にはカメラチップ［９］が位置し、カメラチップは、底部のバッテリに別個に配線接続される。特別仕様のカメラ・チップ・ホルダは、安定化のためにチップの上に位置する［１０００］。カメラレンズ自体は、前上半分の大きな穴に接着される［３００］。
【００３２】
箱の主構造を覆う外側指輪箱材料は、ＵＳＢポートへのアクセスのために切断される。あるいは、各ボタンは、布地内に隠れており、箱の下部側面を触ることによって各ボタンを位置特定することができる。ＬＥＤは、ユーザに面する黒い小さい穴に配置される。全ての構成要素は、熱接着剤または同等のもので箱の内面に接着される。各内蔵構成要素は、次いで、指輪クッションで覆われ、全てのカメラ構成要素は、バッテリを除いて、上蓋内に隠される。記録のためのビデオフォーマットはＡＶＩファイルであり、ＡＶＩファイルは、主要なオペレーティングシステム全てにおいてあまねく認識され、ほとんどのメディアソフトウェアで再生することができる。
【００３３】
本発明による指輪箱の第３の例が図５および図６に示されている。この実施形態では、標準的な指輪箱［１００１］に５個の穴があけられている。レンズ用の前上半分における１つの大きな穴［３０００］、マイクロフォン用の前下半分における１つの小さい穴［４０００］、ボタン用の下半分側面における１つの穴［５０００］、マイクロＵＳＢ入力用の反対側の下半分側面における１つの穴［２０００］、およびＬＥＤ出力用の背面における１つの穴［８０００］である。
【００３４】
入力ボタン、ＬＥＤ出力灯、チップバッテリ、およびマイクロフォンの各部品は、カメラチップから細いゲージのワイヤおよび半田を介して各部品それぞれの位置まで延長される。チップ上の露出した半田は、安定性を得るために非導電ＲＴＶで被覆される。カメラチップに給電するバッテリは、婚約指輪箱の内側の布地の下に隠れて見えない箱の蓋に位置する［９０００］。箱の底部にはカメラチップ［７０００］が位置し、カメラチップは、蓋のバッテリに別個に配線接続される。特別仕様のカメラ・チップ・ホルダは、安定化のためにチップの下に位置する。カメラレンズ自体は、リボンワイヤを用いて、下半分のチップから前上半分の穴まで延長される。このリボンは、内部の宝石用布地／材料の後に隠れて見えない。次いで、レンズは、前上半分の大きい穴［３０００］に接着される。
【００３５】
ＵＳＢポートへのアクセスのための箱の主構造を覆う外側の指輪箱材料。あるいは、各ボタンは、布地内に隠れており、箱の下部側面を触ることによって各ボタンを位置特定することができる。ＬＥＤは、ユーザに面する黒い小さい穴に配置される。全ての構成要素は、熱接着剤または同等のもので箱の内面に接着される。各内蔵構成要素は、次いで、指輪クッションで覆われ、全てのカメラ構成要素は、バッテリおよびカメラレンズを除いて、下蓋内に隠される。
【００３６】
本発明による指輪箱の第４の例が図７〜図１０に示されている。この実施形態では、標準的な指輪箱に４個の穴があけられている。レンズおよびマイクロフォン用の前上半分における１つの穴［１］、スイッチまたはボタンを作動させるための後半分における１つの穴［６］、ＵＳＢ入力用の上半分側面における１つの穴［２］、およびＬＥＤフィードバック用の上面における１つの全体［５］である。カメラモジュールは、指輪箱の内側の上部挿入物の後に隠れて見えない箱の上半分に位置する。カメラモジュールに給電するバッテリも、婚約指輪箱の内側の挿入物の後に隠れて見えない箱の上蓋に位置する。プラスチックまたは同等の材料でできた特別仕様のカメラホルダも、カメラおよびバッテリを収容し、電気部品の構造的保全性および安定性を高めるために、上蓋に配置され得る。
【００３７】
カメラレンズは、前下半分の大きな穴に接着される。カメラの視野を妨げずにカメラレンズを隠すために、箱の色と似通った薄い一方向反射材料片が、カメラレンズの前に（ｉｎ  ｆｒｏｍ  ｏｆ）配置され得る。ＵＳＢポートエクステンダまたはコンバータが、一方の側面で、箱の外側にじかに接触してカメラモジュールに直接接続され、他方で、カメラモジュールへのアクセスを可能にする。ＬＥＤは、カメラモジュールの真上に位置し、箱の上面の小さいＬＥＤの穴によりユーザからＬＥＤが見える。全ての構成要素は、箱の内面に接着される。次いで、内蔵構成要素は、指輪クッションまたは挿入物で覆われる。
【００３８】
１つのボタンまたはフリップスイッチが、箱の背面に位置する。このボタンまたはスイッチは、機器の電源をオンにし、記録を開始するため、または、記録を停止し、データを保存し、機器をシャットオフするために使用される。
【図１】
2015226328.tif 000003
【図２】
2015226328.tif 000004
【図３】
2015226328.tif 000005
【図４】
2015226328.tif 000006
【図５】
2015226328.tif 000007
【図６】
2015226328.tif 000008
【図７】
2015226328.tif 000009
【図８】
2015226328.tif 000010
【図９】
2015226328.tif 000011
【図１０】
2015226328.tif 000012
【外国語明細書】
2015226328000001.pdf